(57)【特許請求の範囲】
【請求項１】
支柱で支えられている医療用台の下に敷かれる医療用床敷シートであって、
前記床敷シートは一枚のシートからなり、床面に敷設した後に使い捨て可能であり、
前記床敷シートには、その縁部から中央部へと延びる案内切断線と、前記案内切断線から分岐して延びる分岐切断線とが形成されており、
前記案内切断線によって、支柱が前記シートの中央部へ導かれ、前記分岐切断線で切断された切片が支柱の側面に当たるように捲り上げられた状態で、前記支柱を収める開口部が形成されることを特徴とする医療用床敷シート。
【請求項２】
前記案内切断線と分岐切断線とが、Ｙ字形状に形成されて三角形の開口部が形成される請求項１記載の医療用床敷シート。
【請求項３】
前記案内切断線と分岐切断線とが十字形状に直交し、前記案内切断線と分岐切断線とで挟まれた４つの切片が捲り上げられて開口部が形成される請求項１記載の医療用床敷シート。
【請求項４】
前記分岐切断線が、前記案内切断線と直交して延び、前記分岐切断線よりも前記縁部側では、補助切断線が、前記案内切断線と直交して延び、
前記分岐切断線と前記補助切断線との間に位置する一対の切片が捲り上げられた状態で、前記支柱が収められる四角形の開口部が形成される請求項１記載の医療用床敷シート。
【請求項５】
医療用床敷シートは、不織布層と樹脂層またはゴム層とを積層させたシートからなる請求項１ないし４のいずれかに記載の医療用床敷シート。
【請求項６】
医療用床敷シートは一辺の長さが１５００ｍｍ以上３５００ｍｍ以下である四角形であり、前記案内切断線は四角形の一辺から中央部へと延びている請求項１ないし５のいずれかに記載の医療用床敷シート。
【発明の詳細な説明】
【０００１】
【発明の属する技術分野】
本発明は、支柱で支えられている医療用台（手術台など）の下に敷かれる、使い捨ての医療用床敷シートに関する。
【０００２】
【従来の技術】
近年、手術室の床の清掃を簡単にするために、手術台の下に使い捨てのシートが敷かれる。これらシートは、手術台の下側においても汚れを受け止めることができるように、手術台の支柱の付近の床まで覆うように設けられる。
【０００３】
例えば図６に示すように、手術台３０の下の床面４０には、手術用台３０の支柱３１を取り囲むようにして、複数枚のシート１０が敷かれている。シート１０どうしは接着テープ１１によって結合され、且つシート１０はテープ１１によって床面４０に固定されている。これらのシート１０は、手術室の清潔さを保つために一回の手術が終わるごとに廃棄され、新しいものと取り替えられる。
【０００４】
【発明が解決しようとする課題】
しかし、図６に示す敷設状態では、シート１０を複数枚必要とし、したがって、一枚ずつシート１０を敷いてテープ１１で貼り付ける行為に大変手間がかかる。
一方、従来のシート１０は、床面に対して滑りやすいという欠点もある。
【０００５】
本発明は上記従来の課題を解決するものであり、容易に設置することができる医療用床敷シートを提供することを目的としている。
【０００６】
本発明のさらなる目的は、床面に対して滑りにくい医療用床敷シートを提供することを目的としている。
【０００７】
【課題を解決するための手段】
本発明は、支柱で支えられている医療用台の下に敷かれる医療用床敷シートであって、
前記床敷シートは一枚のシートからなり、床面に敷設した後に使い捨て可能であり、
前記床敷シートには、その縁部から中央部へと延びる案内切断線と、前記案内切断線から分岐して延びる分岐切断線とが形成されており、
前記案内切断線によって、支柱が前記シートの中央部へ導かれ、前記分岐切断線で切断された切片が支柱の側面に当たるように捲り上げられた状態で、前記支柱を収める開口部が形成されることを特徴とするものである。
【０００８】
本発明の医療用床敷シートは一枚のシートから形成されており、且つこのシートには縁部から中央部へと延びる切断線が形成されているので、手術台の支柱をシートの縁部から中央部へと導くことができる。よって、シートを手術台の下に容易に且つ短時間で設置できる。
【０００９】
医療用床敷シートは、不織布層と樹脂層またはゴム層とを積層させたシートからなることが好ましい。
【００１０】
前記案内切断線の中央部側で二股に分かれる分岐切断線が設けられ、この分岐切断線の間に前記支柱が位置するように敷設されることが好ましい。この場合、前記案内切断線と分岐切断線とが、Ｙ字形状に形成されていることが好ましい。
【００１１】
さらに、前記案内切断線と分岐切断線とが十字形状に直交しているものであってもよい。
【００１２】
また、前記分岐切断線よりも縁部側で、前記案内切断線を交叉する補助切断線が設けられており、前記分岐切断線と補助切断線との間に前記支柱が位置するように敷設されることが好ましい。
【００１４】
本発明では、医療用床敷シートは一辺の長さが１５００ｍｍ以上３５００ｍｍ以下である四角形であり、前記案内切断線は四角形の一辺から中央部へと延びていることが好ましい。
【００１５】
【発明の実施の形態】
以下、本発明の医療用床敷シートを図面を参照しながら説明する。図１は、本発明の医療用床敷シートの平面図である。図２は、図１の医療用床敷シートを手術台の下に設置した状態を示す斜視図である。
【００１６】
本発明の医療用床敷シート１は、図１に示すように、一辺の長さが１５００ｍｍ以上３５００ｍｍ以下の一枚の長方形のシートから形成されている。
【００１７】
シート１を構成するシートは、紙、不織布、織布、樹脂シート、ゴムなど、どのようなものも使用できる。ただし、本発明のシート１は、少なくとも表面側（上側）が不織布で、床面側（下側）が樹脂層またはゴム層あることが好ましい。表面側が不織布であれば、シート１の表面で汚れを吸収させることができる。また、不織布は安価なので、シート１を使い捨て製品とすることができる。不織布としては、ポイントボンド不織布、スパンボンド不織布、サーマルボンド不織布、スパンレース不織布などをあげることができる。これらの不織布はレーヨンなどの親水性繊維または親水化処理されたポリエチレンやポリプロピレンなどの疎水性繊維で形成されることが好ましい。ただし、疎水性繊維で形成された不織布や、開孔部を多数設けた不織布も使用できる。
【００１８】
また、シート１の裏面側（下側）は不透液性であることが好ましい。裏面側が不透液性であれば、汚れを裏側まで通さず、床面４０が汚れることがない。裏面側を不透液性にするためには、前記表面の不織布の裏に、不透液性シートを積層させたり、樹脂を塗工すればよい。不透液性シートとしては、合成ゴム、天然ゴム、ポリオレフィン系のポリエチレン（ＰＥ）フィルムやビニールシートなどである。この中でもシート１を床面４０に対して滑りにくくするため、裏面側の不透液性層は天然ゴムや合成ゴムで形成されることがさらに好ましい。特に合成ゴムとして、例えばエチレン系コポリマーやスチレン系ゴムや粘着付与樹脂が混合されたものを用いることが好ましい。裏面側を特殊ゴムなど滑りにくいもので形成しない場合は、裏面に数箇所滑り止めのゴムなどを塗布させても良い。または、接着テープによってシート１を床４０に固定させてもよい。
【００１９】
なお、シート１を不織布層とゴム層の２層構造とする場合、不織布の好ましい具体的構成としては、目付が２０〜１００ｇ／ｍ2、更に好ましくは３５〜４５ｇ／ｍ2、厚み１５〜７０ミクロン、更に好ましくは３０〜４０ミクロンのものである。このような不織布を、溶融押出によって形成するときにゴム層と圧着接合させてシートを形成する。この他、いわゆるドライラミネートと称される、接着剤を利用して２層を接合する方法や、ホットメルト接着剤を用いて予め形成された２層を接合する方法や、形成された不織布に、溶剤に溶かしたゴムを塗布してゴム層を形成する方法などもある。これらの方法は特にゴム層に天然ゴムを使用する場合において好ましい。
【００２０】
このシート１には、シート１の四角形の一辺から、すなわちその縁部１ｅから中央部１ｃへ延びる案内切断線２が形成されている。そして、案内切断線２の中央部１ｃ側の先端はＹ字形状に二股に分れて分岐切断線２ａ，２ａとなっている。シート１の設置時には、案内切断線２の端部２ｅから手術台３０の支柱３１を通し、支柱３１はシート１の中央部１ｃへと導かれる。そして、前記分岐切断線２ａと分岐切断線２ａとで囲まれた三角形の切片１ｆが矢印の方向へめくれて切片１ｆが捲れた部分に三角の開口部５が形成される。図２に示すように手術台３０の支柱３１が前記開口部５内に収まる。
【００２１】
このように、本発明の医療用床敷シートは一枚のシートで形成されているので、簡単に、短時間で設置することができる。さらに、本発明の医療用床敷シートの案内切断線２の中央部１ｃ側の先端には、手術台の支柱が収まりやすくなるように、Ｙ字状になるように切れ目（分岐切断線２ａ，２ａ）が設けられている。このため、どのような支柱であってもその形状に対応して切れ目が開いて開口部５が形成される。また、切片１ｆは必要量のみ捲れて開口部５が形成されるため、手術台３０の支柱３１の根元での床面４０の露出面積を狭くできる。
【００２２】
なお、シート１の設置時には、案内切断線２の位置でシート１が捲れてしまわないように、図２に示すように、前記分岐切断線２ａ，２ａが形成されていない部分で、案内切断線２をまたぐようにして接着テープ１１を設けることが好ましい。
【００２３】
図３、図４は本発明の医療用床敷シートの他の実施の形態を示す平面図であり、図５は参考例の平面図である。
図３に示す医療用床敷シート１Ａに設けられる案内切断線２の中央部側の先端には、Ｔ字形状に二股に分れた分岐切断線２ｂ，２ｂが形成されており、この分岐切断線２ｂ，２ｂよりも縁部１ｅ側に、前記案内切断線２と交叉する補助切断線２ｃ，２ｃが形成されている。
【００２４】
この実施の形態では、手術台３０の支柱３１がシート１Ａの中央部に導かれたとき、シート１Ａの前記分岐切断線２ｂ，２ｂと補助切断線２ｃ，２ｃとに囲まれた切片１ｇ，１ｈがそれぞれ両側方へ捲れて開口部が形成されて、手術台３０の支柱３１がその開口部に収まる。
【００２５】
なお、図１に示すＹ形状の分岐切断線２ａ，２ａを設ける場合に、この分岐切断線２ａ，２ａよりも縁部１ｅ側に前記補助切断線２ｃ，２ｃを設けてもよい。
【００２６】
また、図４に示す医療用床敷シート１Ｂでは、案内切断線２の中央部側では、Ｔ字形状に二股に分れた分岐切断線２ｄ、２ｄが形成されており、案内切断線２はさらに延びて補助切断線２ｆが形成されている。言い換えれば、案内切断線２（補助切断線２ｆ）と分岐切断線２ｄとが十字形状に直交している。
【００２７】
この実施の形態では、手術台３０の支柱３１がシート１Ｂの中央部に導かれたとき、シート１Ｂの案内切断線２と前記分岐切断線２ｄ、２ｄと補助切断線２ｆとで形成された切片１ｈ，１ｉ，１ｊ，１ｋがそれぞれ放射状に捲れて開口部が形成されて、手術台３０の支柱３１がその開口部に収まる。
【００２８】
さらにまた、図５に示すシート１Ｃのように、案内切断線２の中央部１ｃ側の先端には、支柱３１を収めるための開口部５が予め形成されていてもよい。その他、先端に設けられる切断線の形状はどのようなものであってもよい。
【００２９】
その他、本発明の医療用床敷シートは四角形状に限らず、円形や多角形などであってもよい。さらにまた、本発明の医療用床敷シートは人間用の手術台の下に敷かれるものに限られず、例えば診療台や動物用の台の下に敷かれて使用されてもよい。
【００３０】
【発明の効果】
以上詳述したように、本発明の医療用床敷シートは、台の下に簡単に短時間で設置できる。また、従来の多数のシートを使用するときのように、シート同士の重なり部分が生じないので、低コストである。
【００３１】
また、医療用床敷シートに設けられる切断線の中央部側において切断線を二股にすることにより、どのような支柱にも対応できるようになり、また支柱の根元の床も覆うことができる。
【００３２】
さらに、医療用床敷シートの裏面側を合成ゴム、天然ゴムなどのゴムで形成すれば、床面に対して滑りにくくなり、シートを接着テープなどで止める手間が省ける。
【図面の簡単な説明】
【図１】本発明の医療用床敷シートの第１の実施の形態を示す平面図
【図２】図１のシートを手術台の下に敷いた状態を示す斜視図
【図３】本発明の医療用床敷シートの他の実施の形態を示す平面図
【図４】本発明の医療用床敷シートのさらに他の実施の形態を示す平面図
【図５】医療用床敷シートの参考例を示す平面図
【図６】従来のシートが手術台の下に敷かれた状態を示した斜視図
【符号の説明】
１，１Ａ，１Ｂ，１Ｃ  医療用床敷シート
１ｃ  中央部
２  案内切断線
２ａ、２ｂ、２ｄ  分岐切断線
２ｃ、２ｆ  補助切断線
２ｅ  案内切断線の端部
５  開口部
１１  接着テープ
３０  手術台
３１  支柱
４０  床面
【図１】
0003719881.tif 000002
【図２】
0003719881.tif 000003
【図３】
0003719881.tif 000004
【図４】
0003719881.tif 000005
【図５】
0003719881.tif 000006
【図６】
0003719881.tif 000007